(57)【要約】【課題】  主として床下空間用の除湿装置において、床下空間に対して、付加的な作用を与えることができるものを提供する。【解決手段】  除湿装置Ａは、筐体用ユニット１００ｂ等により構成される筐体部と、該筐体部内に設けられた内部構成部１２０とを有し、内部構成部１２０は、ファン１２１や冷却コイル１２２等により構成される。この除湿装置Ａ内には、紫外線を出力するＬＥＤを有するＬＥＤユニット１８２が設けられている。このＬＥＤユニット１８２は、空気吸込口１０５が形成された側面部１００ｂ−２の内側に設けられている。【選択図】        図３
2005254110.tif 000002
【特許請求の範囲】
【請求項１】
空気をファンによって吸入し、吸入した空気を冷却コイルに接触させて水蒸気を液滴化した後に排気する除湿装置であって、
紫外線を出力するＬＥＤを有することを特徴とする除湿装置。
【請求項２】
上記ＬＥＤが、上記ファンにより吸入・排気される空気の流路内に設けられていることを特徴とする請求項１に記載の除湿装置。
【請求項３】
上記ＬＥＤが、上記空気の流路内におけるファンよりも上流側に設けられていることを特徴とする請求項１又は２に記載の除湿装置。
【請求項４】
除湿装置が、筐体部で、除湿対象の空気を吸入する空気吸込口と、除湿された空気を排出する排気口とを有する筐体部を有し、上記ＬＥＤが、該筐体部を構成する、該空気吸込口が形成された吸込口形成部材の内側に設けられていることを特徴とする請求項１又は２又は３に記載の除湿装置。
【請求項５】
上記ＬＥＤが、上記ファンが位置する方向に向けて紫外線が出力されるように設けられていることを特徴とする請求項１又は２又は３又は４に記載の除湿装置。
【発明の詳細な説明】
【技術分野】
【０００１】
本発明は、住宅の床下や天井裏の空間を除湿する除湿装置に関するものである。
【背景技術】
【０００２】
従来より、住宅の床下の空間を除湿する除湿装置が存在する。この床下空間の除湿装置として、ファンや、冷却コイルや、コンプレッサーや、ドレンポンプを用いることにより、ドレンタンク内の水を確実に建物外部に排出させることができるものが存在する（特許文献１参照）。
【特許文献１】特開平１１−５７３８２号
【発明の開示】
【発明が解決しようとする課題】
【０００３】
しかし、上記の除湿装置においては、床下空間の除湿を行うことはできるが、床下空間内の空気に対してより付加的な作用を与えることができるものが要望されていた。
【０００４】
そこで、本発明は、除湿装置において、主として床下空間に対して、付加的な作用を与えることができる除湿装置を提供することを目的とするものである。
【課題を解決するための手段】
【０００５】
本発明は上記問題点を解決するために創作されたものであって、第１には、空気をファンによって吸入（吸引としてもよい。他においても同じ）し、吸入した空気を冷却コイルに接触させて水蒸気を液滴化した後に排気する除湿装置であって、紫外線を出力するＬＥＤを有することを特徴とする。
【０００６】
この第１の構成の除湿装置においては、紫外線を出力するＬＥＤが設けられているので、このＬＥＤにより紫外線を出力することにより、空気中の浮遊菌の殺菌や空気中のウイルスの不活化を図ることができる。よって、床下空間等カビや細菌が発生しやすい空間においても、該空間に設置することにより、カビや細菌の発生を防止することが可能となり、また、該空間内のウイルスを不活化でき、総じて該空間の環境を向上させることができる。よって、該空間内においてカビや細菌の発生を防止できるので、消臭も行なうことができ、居住空間内にカビや悪臭が侵入することがなく、生活環境を向上させることができる。特に、空間内の空気を除湿するとともに、空間内の浮遊菌の殺菌やウイルスの不活化を行なうことができるので、設置空間の環境を十分向上させることができる。また、紫外線を出力する部材がＬＥＤにより構成されているので、省スペースに構成でき、よって、除湿装置全体を小型化することが可能となる。また、ＬＥＤにより構成されているので、寿命を長くすることができ、取り替え頻度を少なくすることができる。また、ＬＥＤは容易には割れないので、安全である。特に、床下や天井裏等のように装置のメンテナンスが面倒な場所に設置する場合には、ＬＥＤは寿命が長く、また、損傷する可能性が低いので極めて有効である。また、ＬＥＤであるので、使用電力も小さくすることができ、省エネを実現することができる。また、使用電流が小さいので、発熱量が小さく火災等のおそれもなく安全である。
【０００７】
なお、上記第１の構成を以下のようにしてもよい。すなわち、「空気をファンによって吸入し、吸入した空気を冷却コイルに接触させて水蒸気を液滴化した後に排気する除湿装置であって、紫外線を出力する紫外線出力部で、ＬＥＤにより構成された紫外線出力部を有することを特徴とする除湿装置。」としてもよい。
【０００８】
また、第２には、上記第１の構成において、上記ＬＥＤが、上記ファンにより吸入・排気される空気の流路内に設けられていることを特徴とする。これにより、吸入・排気される空気に対して効果的に紫外線を照射することができ、よって、効果的に、該空気中の浮遊菌の殺菌やウイルスの不活化を図ることができる。
【０００９】
また、第３には、上記第１又は第２の構成において、上記ＬＥＤが、上記空気の流路内におけるファンよりも上流側に設けられていることを特徴とする。このように、紫外線出力部がファンよりも上流側に設けられているので、その風速はファンの下流側に比べて低いため、単位体積当たりの空気に照射される紫外線の量をＬＥＤをファンの下流側に設ける場合に比べて多くでき、よって、殺菌やウイルス不活化の効率（以下単に殺菌効率とする）を高めることができる。また、ファンの上流側の位置は、いわば吸入される空気が集積される空間であるため、該空間内にＬＥＤを設けることにより殺菌効率を高めることができる。また、ファンの下流側にＬＥＤがあると、これが風の抵抗になって雑音が発生するおそれがあるが、ＬＥＤがファンの上流側に設けられているので、そのおそれもない。
【００１０】
また、第４には、上記第１から第３までのいずれかの構成において、除湿装置が、筐体部で、除湿対象の空気を吸入する空気吸込口と、除湿された空気を排出する排気口とを有する筐体部を有し、上記ＬＥＤが、該筐体部を構成する、該空気吸込口が形成された吸込口形成部材の内側に設けられていることを特徴とする。これにより、ＬＥＤがファンよりも上流側に設けられることになるので、その風速はファンの下流側に比べて低いため、単位体積当たりの空気に照射される紫外線の量をＬＥＤをファンの下流側に設ける場合に比べて多くでき、よって、殺菌効率を高めることができる。また、ファンの上流側の位置は、いわば吸入される空気が集積される空間であるため、該空間内にＬＥＤを設けることにより殺菌効率を高めることができる。また、ファンの下流側にＬＥＤがあると、これが風の抵抗になって雑音が発生するおそれがあるが、ＬＥＤがファンの上流側に設けられているので、そのおそれもない。また、ＬＥＤが筐体部の内側に設けられるので、筐体部内の各部の殺菌も行なうことができる。また、ＬＥＤが筐体部の内側に設けられることから、紫外線が外部に照射されるおそれが小さく、除湿装置の近くのユーザの目に直接紫外線が当たることがなく、安全である。
【００１１】
また、第５には、上記第１から第４までのいずれかの構成において、上記ＬＥＤが、上記ファンが位置する方向に向けて紫外線が出力されるように設けられていることを特徴とする。これにより、紫外線が外部に照射されるおそれを小さくすることができ、除湿装置の近くのユーザの目に直接紫外線が当たることがなく、安全である。
【発明の効果】
【００１２】
本発明に基づく除湿装置によれば、紫外線を出力するＬＥＤが設けられているので、このＬＥＤにより紫外線を出力することにより、空気中の浮遊菌の殺菌や空気中のウイルスの不活化を図ることができる。よって、床下空間等カビや細菌が発生しやすい空間においても、該空間に設置することにより、カビや細菌の発生を防止することが可能となり、また、該空間内のウイルスを不活化でき、総じて該空間の環境を向上させることができる。よって、該空間内においてカビや細菌の発生を防止できるので、消臭も行なうことができ、居住空間内にカビや悪臭が侵入することがなく、生活環境を向上させることができる。特に、空間内の空気を除湿するとともに、空間内の浮遊菌の殺菌やウイルスの不活化を行なうことができるので、設置空間の環境を十分向上させることができる。また、紫外線を出力する部材がＬＥＤにより構成されているので、省スペースに構成でき、よって、除湿装置全体を小型化することが可能となる。また、ＬＥＤにより構成されているので、寿命を長くすることができ、紫外線出力部の取り替え頻度を少なくすることができる。また、ＬＥＤは容易には割れないので、安全である。特に、床下や天井裏等のように装置のメンテナンスが面倒な場所に設置する場合には、ＬＥＤは寿命が長く、また、損傷する可能性が低いので極めて有効である。また、ＬＥＤを用いるので、使用電力も小さくすることができ、省エネを実現することができる。また、使用電流が小さいので、発熱量が小さく火災等のおそれもなく安全である。
【発明を実施するための最良の形態】
【００１３】
本発明においては、主として床下空間に対して、付加的な作用を与えることができる除湿装置を提供するという目的を以下のようにして実現した。
【００１４】
本発明の実施例に基づく除湿装置Ａは、図１〜図４に示されるように構成され、筐体部１００と、内部構成部１２０とを有している。
【００１５】
ここで、筐体部１００は、筐体用ユニット１００ａと筐体用ユニット１００ｂとを有し、筐体用ユニット１００ａは、上面部と、上面部の端部から下方に連設された側面部１００ａ−１と、上面部の他方の端部から下方に連設され、側面部１００ａ−１と平行に設けられた側面部とを有していて、筐体用ユニット１００ａは、全体に板状部材をコ字状に折曲した形状を呈している。この筐体用ユニット１００ａの各側面部には、排出ホース１０２を接続するためのホース接続部１０３が形成されている。
【００１６】
また、筐体用ユニット１００ｂは、底面部１００ｂ−１と、底面部１００ｂ−１の一方の端部から上方に連設された側面部１００ｂ−２と、底面部１００ｂ−１の他方の端部から上方に連設された側面部１００ｂ−３とを有し、筐体用ユニット１００ｂは、全体に板状部材をコ字状に折曲した形状を呈している。ここで、側面部１００ｂ−２には、除湿する空気を吸入する空気吸込口１０５が形成され、また、側面部１００ｂ−３には、除湿された空気を排出する排気口１０６が形成されている。
【００１７】
また、内部構成部１２０は、ファン１２１と、冷却コイル１２２と、コンデンサ１２２ａと、コンプレッサー１２３と、モータ１２４と、ドレンタンク１２７と、ドレンポンプ１２８とを有している。
【００１８】
すなわち、筐体用ユニット１００ｂにおける底面部１００ｂ−１には、略Ｌ字状のドレンタンク１２７と、コンプレッサー１２３が配置される。また、その上部空間に冷却コイル（蒸発器）１２２と、コンデンサ（凝縮器）１２２ａと、ドレンポンプ１２８と、ファン１２１と、モータ１２４が設置される。尚、上記ドレンタンク１２７内で、ドレンポンプ１２８設置位置より若干上流側に、略直方体の突起１２７ｂが複数個設けられる。従って、その部分でくもの巣等のゴミが引っ掛かるため、ドレンポンプ１２８に吸引されてドレンポンプ１２８が破損するのを防ぐことができる。
【００１９】
ここでコンプレッサー１２３は、図示略の電動モータによって駆動されて、吸入管１４１から冷媒ガスを吸入して、吐出し管１４０に圧力を加えて冷媒ガスを吐出するものである。この吸入管１４１は、アキュムレータ１４３を介して冷却コイル１２２の排出側に接続され、吐出し管１４０はコンデンサ１２２ａの吸入側に接続される。また、コンデンサ１２２ａの排出側は、液管１４２によってドライヤ１４４とキャピラリチューブ１４５を介して冷却コイル１２２の吸入側に接続される。
【００２０】
また、アキュムレータ１４３は、冷却コイル１２２でガス化しなかった冷媒が、コンプレッサー１２３に流入するのを防止するために設けられている。また、キャピラリチューブ１４５は膨脹弁に相当するものであり、冷却コイル１２２に供給する冷媒の量を、一定の圧力損失を与えて制御するものである。また、ドライヤ１４４は、キャピラリチューブ１４５へ吸入される冷媒から、水分や異物を除去するためのものである。
【００２１】
また、ドレンポンプ１２８は、図４に示すように、立軸片吸込遠心タイプが用いられる。すなわち、ドレンポンプ１２８は、直交する吸入口１２８ａと吐出口１２８ｂを有する略半球状のポンプボディ１２８ｅを設け、このポンプボディ１２８ｅに、立置きの駆動軸１２８ｈを挿通して形成されたものである。そして、この駆動軸１２８ｈの上端はモータ１２８ｇに接続され、下端部にスクリュー状のスクリュー羽根部１２８ｃと板状の板状羽根部１２８ｄが固定されている。このように、ドレンポンプ１２８が立軸タイプであるため、幅方向に狭いスペースでも使用可能である。また、遠心タイプであるため容積タイプのポンプに比べて小型化でき高さも低く抑えられる。そのため、高さの低い除湿装置とすることができ、高さが限られた床下空間であっても設置が容易になる。
【００２２】
また、ドレンポンプ１２８は、ドレンタンク１２７の上部にポンプボックス１２８ｆを設けて図示略の防振ゴムを介することにより固定されている。この場合に、吸引ホース１２９ａを、十分にドレンタンク水（ドレン）１２７ａの吸引が可能である高さに固定する。そして、そのように固定されたドレンポンプ１２８の吐出口１２８ｂに、吐水ホース１２９ｂが接続され、更にＴ字状分岐管１３０が接続される。なお、ドレンポンプ１２８は、この吸引ホース１２９ａから水を吸引する。
【００２３】
また、Ｔ字状分岐管１３０からは、図３に示されるように、排水ホース１３１ａ又は排水ホース１３１ｂが必要とされる方向（外部排水ホース１０２の取回しが安易な方向）へ、どちらか一方が接続される。従って、使用しない側の排水ホースには、図２に示されるようにキャップ１３２が接続されて遮断され、ドレンタンク水１２７ａの吐出が止められる。
【００２４】
なお、必要に応じて図２に示されるように、ファンモータ１２４と、コンプレッサー１２３と、ドレンポンプ１２８の各モータへ電力を供給制御する図示略の電源部に、タイマー１４６を接続することも可能である。これにより、除湿装置Ａの駆動を時間的に制御することができ、装置の切り忘れ等が起こらない。
【００２５】
また、この除湿装置Ａには、マイナスイオン発生部（図示せず）と、紫外線発生部とが設けられ、マイナスイオン発生部は、マイナスイオン発生回路と、放電部１７２とを有している。このマイナスイオン発生回路は、放電部１７２における各ピン１７２ａ間に電圧を印加してピン１７２ａ間で放電を生じさせる回路である。また、放電部１７２は、図３に示すように、複数のピン１７２ａから構成され、各ピン１７２ａは所定の間隔を介して立設して設けられている。底面部１００ｂ−１の排気側に３本のピン１７２ａが所定の間隔を介して立設して設けられている。マイナスイオン発生部が上記のように構成されていることにより、ピン１７２ａにおいて放電を生じさせることにより、マイナスイオンが発生するように構成されている。
【００２６】
また、紫外線発生部は、ＬＥＤ電源供給回路（図示せず）と、ＬＥＤユニット１８２（図３参照）とを有している。このＬＥＤ電源供給回路は、ＬＥＤユニット１８２におけるＬＥＤに電源を供給する回路である。また、ＬＥＤユニット１８２は、紫外線（具体的には、長波長紫外線）を発生するＬＥＤ（発光ダイオード）（紫外線出力部）を有するものである。ＬＥＤユニット１８２は、側面部１００ｂ−２の裏面、つまり、内側に取り付けられている。つまり、空気吸込口１０５が形成された側面部（吸込口形成部材）１００ｂ−２の内側に設けられている。これにより、ＬＥＤユニット１８２は、空気の流路内におけるファン１２１よりも上流側に設けられているといえる。また、該ＬＥＤユニット１８２は、紫外線が除湿装置Ａの内側に向けて出力されるように設けられている。つまり、ファン１２１が位置する方向に向けて紫外線が出力されるように設けられている。
【００２７】
なお、この除湿装置Ａは、床下空間等に設置して使用する。その場合、例えば、除湿装置Ａを台座２００に設置して使用する。
【００２８】
次に、除湿装置Ａの動作について説明する。除湿装置Ａがタイマー１４６等によってオンにされると、ファン１２１と、コンプレッサー１２３と、ドレンポンプ１２８が同時に駆動する。それによって、ファン１２１が、空気吸込口１０５より除湿すべき空気を吸入する。
【００２９】
また、コンプレッサー１２３が作動することによって、冷媒の一連の流れが発生する。そのため、吸入管１４１からコンプレッサー１２３にはアキュムレータ１４３を介して冷媒ガスが吸入される。従って、冷却コイル１２２内の圧力が低下して、液管１４２のキャピラリチューブ１４５から液冷媒を吸入する。そのため、細いキャピラリチューブ１４５から液冷媒を吸入することによって、液冷媒が膨脹して圧力が低下し、続いて圧力の低い冷却コイル１２２に流入するときに液冷媒の一部は低圧下で気体に急変する。また、残りの液冷媒は、気化した冷媒ガスに熱を奪われ、更に冷却コイル１２２の外側を通る空気によって熱を奪われて、低温低圧化で気化する。この時に、冷媒が気化熱を吸収するため冷却コイル１２２の温度が低下して、回りの空間から熱を奪う。そのため、回りの空間の水蒸気が露点に達して液化し復水（ドレンタンク水１２７ａ）を生成する。そのように生成されたドレンタンク水１２７ａは、液滴化して下方のドレンタンク１２７に溜まる。
【００３０】
以上のようにして、ファン１２１によって空気吸込口１０５から吸い込まれた空気の水分を奪って、その空気を除湿し排気口１０６から排出する。
【００３１】
また、ドレンタンク１２７に溜まったドレンタンク水１２７ａは、ドレンポンプ１２８によって吸い上げられ、ドレンポンプ１２８で加圧されてドレンポンプ１２８の吐出口に接続され吐水ホース１２９ｂに圧送される。
【００３２】
さらに、除湿装置Ａがオン状態となっている場合に、ＬＥＤ電源供給回路も動作され、ＬＥＤ電源供給回路からＬＥＤユニット１８２に電源が供給されて、ＬＥＤユニット１８２のＬＥＤが点灯される。すると、該ＬＥＤから紫外線が照射され、吸い込まれる空気に対して紫外線が照射される。これにより、除湿装置Ａを設置した空間（例えば、床下空間）内の浮遊菌の殺菌や該空間内のウイルスの不活化を行うことができ、結果として、該空間内におけるカビの発生・繁殖を防止したり、該空間内の消臭にも寄与できる。よって、床下空間はカビが発生しやすい環境にあるといえるが、除湿装置Ａを設置することにより、空間内の空気を除湿するとともに、空間内の空気を浄化するので、カビの発生を防止でき、消臭も行なうことができるので、居住空間内にカビや悪臭が侵入することがなく、生活環境を向上させることができる。
【００３３】
特に、紫外線を照射する部材がＬＥＤにより構成されているので、紫外線を照射する部材を省スペースに構成でき、よって、除湿装置全体を小型化することが可能となる。また、紫外線を照射する部材がＬＥＤにより構成されているので、寿命を長くすることができ（具体的には、１０年以上）、紫外線を照射する部材の取り替え頻度を少なくすることができる。すなわち、紫外線を照射する部材を蛍光灯タイプの殺菌灯により構成すると、省スペースを図ることができず、また、寿命が短いが、本実施例の場合にはそのようなおそれがない。また、該殺菌灯の場合には、割れる可能性があるが、ＬＥＤは容易には割れないので、安全である。特に、本実施例の除湿装置Ａは、床下等のように装置のメンテナンスが面倒な場所に設置されるのが通常であるので、紫外線を照射する部材の寿命が長く、また、損傷する可能性が低いのは極めて有効である。また、本実施例では、紫外線を照射する部材がＬＥＤにより構成されるので、使用電力も小さくすることができ、省エネを実現することができる。また、使用電力が小さいので、その分発熱量も小さく、よって、火災等のおそれがなく安全である。
【００３４】
なお、上記のように、ＬＥＤユニット１８２は、側面部１００ｂ−２の裏面に取り付けられていて、いわば、ファン１２１により移送される空気の流路（移動空間としてもよい）内に設けられているので、空気を十分殺菌することが可能となる。
【００３５】
また、ファン１２１よりも上流側にＬＥＤユニット１８２が設けられているので、その風速はファン１２１の下流側に比べて低いため、単位体積当たりの空気に照射される紫外線の量をＬＥＤユニット１８２をファン１２１の下流側に設ける場合に比べて多くでき、よって、殺菌やウイルス不活化の効率を高めることができる。また、ファン１２１の上流側の位置は、いわば吸入される空気が集積される空間であるため、該空間内にＬＥＤユニット１８２を設けることにより殺菌効率を高めることができる。また、仮にファン１２１の下流側にＬＥＤユニット１８２があると、これが風の抵抗になって雑音が発生するおそれがあるが、ＬＥＤユニット１８２がファン１２１の上流側に設けられているので、そのおそれもない。また、ＬＥＤユニット１８２が筐体部１００内に設けられているので、筐体部１００内の各部の殺菌も行なうことができる。また、ＬＥＤユニット１８２が、側面部１００ｂ−２の裏面に装置の内側に向けて出力されるように設けられているので、紫外線が出力されている状態でも、除湿装置Ａの近くのユーザーの目に直接紫外線が当たることがなく、安全である。
【００３６】
また、除湿装置Ａがオン状態となっている場合に、マイナスイオン発生回路も動作され、放電部１７２において放電が行われて、マイナスイオンが発生される。これにより、マイナスイオンによる効果も得ることができる。
【００３７】
なお、上記の説明においては、ＬＥＤユニット１８２を側面部１００ｂ−２の内側に取り付けるものとして説明したが、これには限られず、例えば、吸入して排気される空気の流路内に設けられていればよい。また、放電部１７２についても、底面部１００ｂ−１の側面部１００ｂ−３側に設けるものとして説明したが、これには限られず、例えば、吸入して排気される空気の流路内に設けられていればよい。
【図面の簡単な説明】
【００３８】
【図１】本発明の実施例に基づく除湿装置の外観を示す斜視図である。
【図２】本発明の実施例に基づく除湿装置の内部構造を示す平面図である。
【図３】本発明の実施例に基づく除湿装置の内部構造を示す斜視図である。
【図４】本発明の実施例に基づく除湿装置におけるドレンポンプの構成を示す断面図である。
【符号の説明】
【００３９】
Ａ  除湿装置
１００  筐体部
１２０  内部構成部
１２１  ファン
１８２  ＬＥＤユニット
【図１】
2005254110.tif 000003
【図２】
2005254110.tif 000004
【図３】
2005254110.tif 000005
【図４】
2005254110.tif 000006